(57)【要約】【課題】  ＵＥ側での実電力状態が適切なオーバーヘッドで報告される。【解決手段】  本明細書では、無線通信システムにおいてビーム動作のための電力ヘッドルーム報告をトリガするための方法及び装置が開示される。一方法では、ユーザ機器（ＵＥ）は、送信のために複数のビームを使用する。ＵＥは、しきい値よりも大きいパスロスの変化に起因して、電力ヘッドルーム報告をトリガする。パスロスは、特定のビーム又はビームのセットに関連付けられている。【選択図】  図２８
2020036357.tif 000002
【特許請求の範囲】
【請求項１】
ユーザ機器（ＵＥ）のための方法であって、
送信のために複数のビームを使用するステップと、
しきい値より大きいパスロスの変化に起因して、電力ヘッドルーム報告をＵＥがトリガするステップと、を含み、前記パスロスは特定のビームに関連付けられており、前記パスロスは同期信号から導出され、前記送信のための送信電力はビームセットごとに制御される、方法。
【請求項２】
前記特定のビームに関連付けられた送信がスケジューリングされる場合、前記パスロスが変化したかどうかをＵＥが決定するステップをさらに含む、請求項１に記載の方法。
【請求項３】
前記特定のビームは、特定のＵＥビーム又は特定の送信／受信ポイント（ＴＲＰ）ビームである、請求項１に記載の方法。
【請求項４】
前記ビームセットは、ＵＥビームのセット又はＴＲＰビームのセットである、請求項１に記載の方法。
【請求項５】
前記送信電力は、基地局から前記ＵＥに送信される電力制御コマンドに基づいて制御される、請求項１に記載の方法。
【請求項６】
前記パスロスの変化は、前記特定のビームに関連付けられた現在のパスロスと、前記特定のビームに関連付けられた以前のパスロスとの比較から導出される、請求項１に記載の方法。
【請求項７】
異なるビーム間の比較から導出される前記パスロスの変化に基づいて、前記電力ヘッドルーム報告をＵＥがトリガしないステップをさらに含む、請求項１に記載の方法。
【請求項８】
前記同期信号は前記特定のビームで測定される、請求項１に記載の方法。
【請求項９】
ユーザ機器（ＵＥ）であって、
制御回路と、
前記制御回路に設けられたプロセッサと、
前記制御回路に設けられ、前記プロセッサに結合されたメモリと、
前記プロセッサは、前記メモリに記憶されたプログラムコードを実行して、
送信のために複数のビームを使用することと、
しきい値より大きいパスロスの変化に起因して、電力ヘッドルーム報告をトリガすることと、を行うように構成されており、
前記パスロスは特定のビームに関連付けられており、前記パスロスは同期信号から導出され、前記送信のための送信電力はビームセットごとに制御される、ＵＥ。
【請求項１０】
前記プロセッサは、前記メモリに記憶された前記プログラムコードを実行して、
前記特定のビームに関連付けられた送信がスケジューリングされる場合、前記パスロスが変化したかどうかを決定することを行うようにさらに構成される、請求項９に記載のＵＥ。
【請求項１１】
前記特定のビームは、特定のＵＥビーム又は特定の送信／受信ポイント（ＴＲＰ）ビームである、請求項９に記載のＵＥ。
【請求項１２】
前記ビームセットは、ＵＥビームのセット又はＴＲＰビームのセットである、請求項９に記載のＵＥ。
【請求項１３】
前記送信電力は、基地局から前記ＵＥに送信される電力制御コマンドに基づいて制御される、請求項９に記載のＵＥ。
【請求項１４】
前記パスロスの変化は、前記特定のビームに関連付けられた現在のパスロスと、前記特定のビームに関連付けられた以前のパスロスとの比較から導出される、請求項９に記載のＵＥ。
【請求項１５】
前記プロセッサは、前記メモリに記憶された前記プログラムコードを実行して、異なるビーム間の比較から導出される前記パスロスの変化に基づいて、前記電力ヘッドルーム報告をトリガしないことを行うようにさらに構成される、請求項９に記載のＵＥ。
【請求項１６】
前記同期信号は前記特定のビームで測定される、請求項９に記載のＵＥ。
【請求項１７】
前記電力ヘッドルーム報告は、前記特定のビーム又は前記ビームセットに対する電力ヘッドルーム報告を含む、請求項１に記載の方法。
【請求項１８】
前記電力ヘッドルーム報告は、前記特定のビーム又は前記ビームセットに対する電力ヘッドルーム報告を含む、請求項９に記載のＵＥ。
【発明の詳細な説明】
【技術分野】
【０００１】
本願は、２０１６年１１月８日に出願された米国仮特許出願第６２／４１９，１０１号の利益を主張するものであり、そのすべての開示は全体として参照により本明細書に援用される。
【０００２】
本開示は概して、無線通信ネットワークに関し、より詳細には、無線通信システムにおいてビーム動作のための電力ヘッドルーム報告をトリガするための方法及び装置に関する。
【背景技術】
【０００３】
移動体通信デバイスとの大量データの通信に対する要求が急速に高まる中、従来の移動体音声通信ネットワークは、インターネットプロトコル（ＩＰ）データパケットをやり取りするネットワークへと発展している。このようなＩＰデータパケット通信は、移動体通信デバイスのユーザに、ボイスオーバＩＰ、マルチメディア、マルチキャスト、及びオンデマンド通信サービスを提供可能である。
【０００４】
例示的なネットワーク構造は、発展型ユニバーサル地上無線アクセスネットワーク（Ｅ−ＵＴＲＡＮ）である。Ｅ−ＵＴＲＡＮシステムは、上記のボイスオーバＩＰ及びマルチメディアサービスを実現するために、高いデータスループットを提供可能である。現在、次世代（例えば、５Ｇ）の新しい無線技術が３ＧＰＰ標準化機構によって議論されている。このため、現行の３ＧＰＰ標準内容に対する変更が現在提出され、３ＧＰＰ標準の発展及び確定に向けて検討されている。
【発明の概要】
【０００５】
本明細書では、無線通信システムにおいてビーム動作のための電力ヘッドルーム報告をトリガするための方法及び装置が開示される。一方法では、ユーザ機器（ＵＥ）は、送信のために複数のビームを使用する。ＵＥは、しきい値よりも大きいパスロスの変化に起因して、電力ヘッドルーム報告をトリガする。パスロスは、特定のビーム又はビームのセットに関連付けられる。
【図面の簡単な説明】
【０００６】
【図１】例示的な一実施形態による無線通信システムの図である。
【図２】例示的な一実施形態による送信機システム（アクセスネットワークとしても知られている）及び受信機システム（ユーザ機器又はＵＥとしても知られている）のブロック図である。
【図３】例示的な一実施形態による通信デバイスの機能ブロック図である。
【図４】例示的な一実施形態による図３のプログラムコードの機能ブロック図である。
【図５Ａ】デジタルビームフォーミングの例である。
【図５Ｂ】アナログビームフォーミングの例である。
【図５Ｃ】完全接続（fully  connected）のハイブリッドビームフォーミングの例である。
【図５Ｄ】サブアレイ（sub-array）のハイブリッドビームフォーミングの例である。
【図６】ＴＤＤ構成０−６に対するＫＰＵＳＣＨを示す、３ＧＰＰ  ３６．２１３  ｖ１４．０．０の表５．１．１．１−１の再現である。
【図７】ＤＣＩフォーマット０／３／４／６−０ＡにおけるＴＰＣコマンドフィールドの絶対及び累積δＰＵＳＣＨ，ｃ値へのマッピングを提供する、３ＧＰＰ  ３６．２１３  ｖ１４．０．０の表５．１．１．１−２の再現である。
【図８】ＤＣＩフォーマット３ＡにおけるＴＰＣコマンドフィールドの累積δＰＵＳＣＨ，ｃ値へのマッピングを提供する、３ＧＰＰ  ３６．２１３  ｖ１４．０．０の表５．１．１．１−３の再現である。
【図９】ＤＣＩフォーマット１Ａ／１Ｂ／１Ｄ／１／２Ａ／２Ｂ／２Ｃ／２Ｄ／２／３／６−１ＡにおけるＴＰＣコマンドフィールドのδＰＵＳＣＨ値へのマッピングを提供する、３ＧＰＰ  ３６．２１３  ｖ１４．０．０の表５．１．２．１−１の再現である。
【図１０】ＤＣＩフォーマット３ＡにおけるＴＰＣコマンドフィールドのδＰＵＣＣＨ値へのマッピングを提供する、３ＧＰＰ  ３６．２１３  ｖ１４．０．０の表５．１．２．１−２の再現である。
【図１１−１】ＵＥ電力クラスを提供する、３ＧＰＰ  ＴＳ  ３６．１０１  ｖ１４．１．０の表６．２．２−１の再現である。
【図１１−２】ＵＥ電力クラスを提供する、３ＧＰＰ  ＴＳ  ３６．１０１  ｖ１４．１．０の表６．２．２−１の再現である。
【図１２】電力クラス１及び３に対する最大電力低減（ＭＰＲ：Maximum  Power  Reduction）を提供する、３ＧＰＰ  ＴＳ  ３６．１０１  ｖ１４．１．０の表６．２．３−１の再現である。
【図１３−１】追加最大電力低減（Ａ−ＭＰＲ：Additional  Maximum  Power  Reduction）を提供する、３ＧＰＰ  ＴＳ  ３６．１０１  ｖ１４．１．０の表６．２．４−１の再現である。
【図１３−２】追加最大電力低減（Ａ−ＭＰＲ：Additional  Maximum  Power  Reduction）を提供する、３ＧＰＰ  ＴＳ  ３６．１０１  ｖ１４．１．０の表６．２．４−１の再現である。
【図１４】ＰＣＭＡＸ許容値を提供する、３ＧＰＰ  ＴＳ  ３６．１０１  ｖ１４．１．０の表６．２．５−１の再現である。
【図１５】電力クラス５に対するＰＣＭＡＸ許容値を提供する、３ＧＰＰ  ＴＳ  ３６．１０１  ｖ１４．１．０の表６．２．５−１Ａの再現である。
【図１６】上りリンク複数バンド（inter-band）ＣＡ（２つのバンド）に対するＰＣＭＡＸ許容値を提供する、３ＧＰＰ  ＴＳ  ３６．１０１  ｖ１４．１．０の表６．２．５Ａ−１の再現である。
【図１７】ＰＣＭＡＸ許容値を提供する、３ＧＰＰ  ＴＳ  ３６．１０１  ｖ１４．１．０の表６．２．５Ａ−２の再現である。
【図１８】閉ループ空間多重化方式におけるＰＣＭＡＸ，ｃ許容値を提供する、３ＧＰＰ  ＴＳ  ３６．１０１  ｖ１４．１．０の表６．２．５Ｂ−１の再現である。
【図１９】ＰＨＲ  ＭＡＣ制御要素を示す、３ＧＰＰ  ＴＳ  ３６．３２１  ｖ１４．０．０の図６．１．３．６−１の再現である。
【図２０】ＰＨＲに対する電力ヘッドルームレベルを提供する、３ＧＰＰ  ＴＳ  ３６．３２１  ｖ１４．０．０の表６．１．３．６−１の再現である。
【図２１】拡張ＰＨＲ  ＭＡＣ制御要素を示す、３ＧＰＰ  ＴＳ  ３６．３２１  ｖ１４．０．０の図６．１．３．６ａ−２の再現である。
【図２２】ＰＵＣＣＨ  ｏｎ  ＳＣｅｌｌをサポートする拡張ＰＨＲ  ＭＡＣ制御要素を示す、３ＧＰＰ  ＴＳ  ３６．３２１  ｖ１４．０．０の図６．１．３．６ａ１−３の再現である。
【図２３】構成された上りリンクで３２個のサービングセルをサポートする拡張ＰＨＲ  ＭＡＣ制御要素を示す、３ＧＰＰ  ＴＳ  ３６．３２１  ｖ１４．０．０の図６．１．３．６ａ２−４の再現である。
【図２４】構成された上りリンクで３２個のサービングセル及びＳＣｅｌｌ  ｏｎ  ＰＵＣＣＨをサポートする拡張ＰＨＲ  ＭＡＣ制御要素を示す、３ＧＰＰ  ＴＳ  ３６．３２１  ｖ１４．０．０の図６．１．３．６ａ３−５の再現である。
【図２５】拡張ＰＨＲ及びデュアルコネクティビティＰＨＲのための公称ＵＥ送信電力レベルを提供する、３ＧＰＰ  ＴＳ  ３６．３２１  ｖ１４．０．０の表６．１．３．６ａ−１の再現である。
【図２６】ユーザ機器（ＵＥ）の観点からの例示的な一実施形態についてのフロー図である。
【図２７】ＵＥの観点からの例示的な別実施形態についてのフロー図である。
【図２８】ＵＥの観点からの例示的な別実施形態についてのフロー図である。
【図２９】ＵＥの観点からの例示的な別実施形態についてのフロー図である。
【図３０】ＵＥの観点からの例示的な別実施形態についてのフロー図である。
【発明を実施するための形態】
【０００７】
以下に記載される例示的な無線通信システム及び機器は、無線通信システムを採用し、ブロードキャストサービスをサポートする。無線通信システムは、音声、データ等の様々なタイプの通信を提供するため、広く展開されている。これらのシステムは、符号分割多元接続（ＣＤＭＡ）、時間分割多元接続（ＴＤＭＡ）、直交周波数分割多元接続（ＯＦＤＭＡ）、３ＧＰＰ  ＬＴＥ（ロングタームエボリューション）無線アクセス、３ＧＰＰ  ＬＴＥ−Ａ若しくはＬＴＥ−アドバンスト（ロングタームエボリューションアドバンスト）、３ＧＰＰ２  ＵＭＢ（Ultra  Mobile  Broadband：超モバイル広帯域）、ＷｉＭａｘ、又はその他何らかの変調技術に基づいてよい。
【０００８】
特に、以下に記載される例示的な無線通信システム及び機器は、本明細書において３ＧＰＰと称する「第３世代パートナーシッププロジェクト」という名称のコンソーシアムにより提供された標準等、１つ以上の標準をサポートするように設計されてよい。標準には、R2-162366，“Beam  Forming  Impacts”、R2-163716，“Discussion  on  terminology  of  beamforming  based  high  frequency  NR”、R2-162709，“Beam  support  in  NR”、R2-162762，“Active  Mode  Mobility  in  NR:  SINR  drops  in  higher  frequencies”、TS  36.213  v14.0.0，“E-UTRA;  Physical  layer  procedures  (Release  14)”、TS  36.101  v14.1.0，“E-UTRA;  User  Equipment  (UE)  radio  transmission  and  reception  (Release  14)”、及びTS  36.321  v14.0.0，“E-UTRA;  Medium  Access  Control  (MAC)  protocol  specification  (Release  14)”が含まれる。上掲の標準及び文書は、そのすべてが参照により本明細書に明示的に援用される。
【０００９】
図１は、本発明の一実施形態に係る多重アクセス無線通信システムを示している。アクセスネットワーク１００（ＡＮ）は、複数のアンテナグループを含み、あるグループは１０４及び１０６、別のグループは１０８及び１１０、また別のグループは１１２及び１１４を含む。図１においては、各アンテナグループに対して、アンテナが２つしか示されていないが、より多くの又はより少ないアンテナが各アンテナグループに利用されてよい。アクセス端末１１６（ＡＴ）は、アンテナ１１２及び１１４と通信しており、アンテナ１１２及び１１４は、順方向リンク１２０を介して情報をアクセス端末１１６に送信するとともに、逆方向リンク１１８を介して情報をアクセス端末１１６から受信している。アクセス端末（ＡＴ）１２２は、アンテナ１０６及び１０８と通信しており、アンテナ１０６及び１０８は、順方向リンク１２６を介して情報をアクセス端末（ＡＴ）１２２に送信するとともに、逆方向リンク１２４を介して情報をアクセス端末（ＡＴ）１２２から受信している。ＦＤＤシステムにおいては、通信リンク１１８、１２０、１２４、及び１２６は通信に異なる周波数を使用してよい。例えば、順方向リンク１２０では、逆方向リンク１１８によって使用される周波数とは異なる周波数を使用してよい。
【００１０】
アンテナの各グループ及び／又はアンテナが通信するように設計されたエリアは、アクセスネットワークのセクターと称することが多い。本実施形態において、アンテナグループはそれぞれ、アクセスネットワーク１００によってカバーされるエリアのセクターにおいて、アクセス端末と通信するように設計されている。
【００１１】
順方向リンク１２０及び１２６を介した通信において、アクセスネットワーク１００の送信アンテナは、異なるアクセス端末１１６及び１２２に対する順方向リンクの信号対雑音比を改善するために、ビームフォーミングを利用してよい。また、カバレッジにランダムに分散したアクセス端末への送信にビームフォーミングを使用するアクセスネットワークは、１つのアンテナからすべてのそのアクセス端末に送信を行うアクセスネットワークよりも、隣接セルのアクセス端末への干渉が少ない。
【００１２】
アクセスネットワーク（ＡＮ）は、端末と通信するのに使用される固定局又は基地局でよく、アクセスポイント、Ｎｏｄｅ  Ｂ、基地局、拡張型基地局、進化型Ｎｏｄｅ  Ｂ（ｅＮＢ）、又はその他何らかの専門用語で呼ばれることもある。アクセス端末（ＡＴ）は、ユーザ機器（ＵＥ）、無線通信デバイス、端末、アクセス端末、又はその他何らかの専門用語で呼ばれることもある。
【００１３】
図２は、ＭＩＭＯシステム２００における送信機システム２１０（アクセスネットワークとしても知られている）及び受信機システム２５０（アクセス端末（ＡＴ）又はユーザ機器（ＵＥ）としても知られている）の実施形態の簡易ブロック図である。送信機システム２１０では、多くのデータストリームのトラフィックデータがデータ源２１２から送信（ＴＸ）データプロセッサ２１４に提供される。
【００１４】
一実施形態において、各データストリームは、それぞれの送信アンテナを介して送信される。ＴＸデータプロセッサ２１４は、データストリームに対して選択された特定の符号化方式に基づいて、各データストリームについてのトラフィックデータをフォーマット、符号化、及びインターリーブして、符号化データを提供する。
【００１５】
各データストリームについての符号化データをＯＦＤＭ技術を使用してパイロットデータと多重化してよい。パイロットデータは、代表的には、既知の様態で処理される既知のデータパターンであり、受信機システムでチャネル応答を推定するのに使用されてよい。そして、各データストリームについての多重化パイロット及び符号化データは、データストリームに対して選択された特定の変調方式（例えば、ＢＰＳＫ、ＱＰＳＫ、Ｍ−ＰＳＫ、又はＭ−ＱＡＭ）に基づいて変調（すなわち、シンボルマッピング）されて、変調シンボルを提供する。各データストリームについてのデータレート、符号化、及び変調は、プロセッサ２３０により実行される命令によって決定されてよい。
【００１６】
そして、すべてのデータストリームについての変調シンボルはＴＸ  ＭＩＭＯプロセッサ２２０に与えられ、これが（例えば、ＯＦＤＭの場合に）変調シンボルをさらに処理してよい。そして、ＴＸ  ＭＩＭＯプロセッサ２２０は、ＮＴ個の変調シンボルストリームをＮＴ個の送信機（ＴＭＴＲ）２２２ａ〜２２２ｔに提供する。特定の実施形態において、ＴＸ  ＭＩＭＯプロセッサ２２０は、ビームフォーミング加重をデータストリームのシンボル及びシンボルが送信されているアンテナに適用する。
【００１７】
各送信機２２２は、各シンボルストリームを受信及び処理して１つ以上のアナログ信号を提供し、さらに、アナログ信号を調節（例えば、増幅、フィルタリング、及びアップコンバート）して、ＭＩＭＯチャネルを介した送信に適した変調信号を提供する。そして、送信機２２２ａ〜２２２ｔからのＮＴ個の変調信号がそれぞれ、ＮＴ個のアンテナ２２４ａ〜２２４ｔから送信される。
【００１８】
受信機システム２５０においては、送信された変調信号はＮＲ個のアンテナ２５２ａ〜２５２ｒによって受信され、各アンテナ２５２からの受信信号は、各受信機（ＲＣＶＲ）２５４ａ〜２５４ｒに提供される。各受信機２５４は、それぞれの受信信号を調節（例えば、フィルタリング、増幅、及びダウンコンバート）して、調節された信号をデジタル化してサンプルを与え、さらに、これらのサンプルを処理して対応する「受信」シンボルストリームを提供する。
【００１９】
そして、ＲＸデータプロセッサ２６０は、特定の受信機処理技術に基づいて、ＮＲ個の受信機２５４からのＮＲ個の受信シンボルストリームを受信及び処理して、ＮＴ個の「検出」シンボルストリームを提供する。そして、ＲＸデータプロセッサ２６０は、各検出シンボルストリームを復調、デインターリーブ、及び復号して、データストリームについてのトラフィックデータを復元する。ＲＸデータプロセッサ２６０による処理は、送信機システム２１０でのＴＸ  ＭＩＭＯプロセッサ２２０及びＴＸデータプロセッサ２１４により実行される処理と相補的である。
【００２０】
プロセッサ２７０は、どのプリコーディングマトリクス（後述）使用するかを定期的に決定する。プロセッサ２７０は、マトリクス指標部及びランク値部を含む逆方向リンクメッセージを構築する。
【００２１】
逆方向リンクメッセージは、通信リンク及び／又は受信データストリームに関する様々なタイプの情報を含んでよい。そして、逆方向リンクメッセージは、データ源２３６からの多くのデータストリームについてのトラフィックデータも受信するＴＸデータプロセッサ２３８により処理され、変調器２８０により変調され、送信機２５４ａ〜２５４ｒにより調節され、送信機システム２１０に送り戻される。
【００２２】
送信機システム２１０では、受信機システム２５０からの変調信号がアンテナ２２４により受信され、受信機２２２により調節され、復調器２４０により復調され、ＲＸデータプロセッサ２４２により処理されて、受信機システム２５０により送信された逆方向リンクメッセージを抽出する。そして、プロセッサ２３０は、ビームフォーミング加重を決定するのにどのプリコーディングマトリクスを使用するかを決定し、そして、抽出されたメッセージを処理する。
【００２３】
図３を参照すると、この図は、本発明の一実施形態による通信デバイスの代替的な簡易機能ブロック図を示している。図３に示されるように、無線通信システムにおける通信デバイスは、図１のＵＥ（若しくはＡＴ）１１６及び１２２又は図１の基地局（若しくはＡＮ）１００を実現するのに利用可能であり、無線通信システムは、ＬＴＥシステムであることが好ましい。通信デバイスは、入力デバイス３０２、出力デバイス３０４、制御回路３０６、中央演算処理装置（ＣＰＵ）３０８、メモリ３１０、プログラムコード３１２、及びトランシーバ３１４を含んでよい。制御回路３０６は、ＣＰＵ３０８を介してメモリ３１０内のプログラムコード３１２を実行することにより、通信デバイスの動作を制御する。通信デバイス３００は、キーボード、キーパッド等の入力デバイス３０２を介してユーザにより入力された信号を受信することができ、モニタ、スピーカ等の出力デバイス３０４を介して画像及び音声を出力することができる。トランシーバ３１４は、無線信号を受信及び送信するのに使用され、受信信号を制御回路３０６に伝達するとともに、制御回路３０６により生成された信号を無線で出力する。無線通信システムにおける通信デバイス３００は、図１のＡＮ１００を実現するのにも利用可能である。
【００２４】
図４は、本発明の一実施形態による図３に示すプログラムコード３１２の簡易ブロック図である。本実施形態において、プログラムコード３１２は、アプリケーションレイヤ４００、レイヤ３部４０２、及びレイヤ２部４０４を含み、レイヤ１部４０６に結合されている。レイヤ３部４０２は一般的に、無線リソース制御を実行する。レイヤ２部４０４は一般的に、リンク制御を実行する。レイヤ１部４０６は一般的に、物理的接続を実行する。
【００２５】
３ＧＰＰ  Ｒ２−１６２３６６で説明されているように、より低い周波数帯（例えば、現在のＬＴＥ帯＜６ＧＨｚ）では、必要なセルカバレッジを下り共通チャネルを送信するためのワイドセクタビームを形成することによって提供してよい。しかし、より高い周波数（＞＞６ＧＨｚ）でワイドセクタビームを利用すると、同じアンテナ利得ではセルカバレッジが縮小される。したがって、より高い周波数帯で必要なセルカバレッジを提供するためには、増加したパスロスを補償するために、より高いアンテナ利得が必要である。ワイドセクタビームでアンテナ利得を増加させるためには、高利得ビームを形成するためにより多いアンテナアレイ（数十から数百までのアンテナ素子の数）が使用される。
【００２６】
結果として、高利得ビームはワイドセクタビームに比べて狭いため、下り共通チャネルを送信するために複数のビームが必要なセルエリアをカバーするために必要である。アクセスポイントが形成することができる同時高利得ビームの数は、利用するトランシーバのアーキテクチャのコスト及び複雑さによって制限されることがある。実際には、より高い周波数では、同時高利得ビームの数は、セルエリアをカバーするために必要なビームの総数よりもはるかに少ない。言い換えると、アクセスポイントは、任意の所与の時点でビームのサブセットを使用することによってセルエリアの一部のみをカバーすることが可能である。
【００２７】
３ＧＰＰ  Ｒ２−１６３７１６で説明されているように、ビームフォーミングは一般的に、指向性信号の送信／受信のためにアンテナアレイにおいて使用される信号処理技術である。ビームフォーミングによれば、特定の角度での所定の信号が強め合う干渉となる一方で、他の信号が弱め合う干渉となるように、アンテナのフェーズドアレイ（phased  array）での素子を組合せることによって、ビームを形成することができる。複数のアンテナアレイを使用して、異なるビームを同時に利用することができる。
【００２８】
ビームフォーミングは一般的に、３つのタイプの実装に分類することができる。図５Ａ〜図５Ｄに示すように、デジタルビームフォーミング、ハイブリッドビームフォーミング及びアナログビームフォーミングがある。デジタルビームフォーミングの場合、ビームはデジタル領域で生成される。すなわち、各アンテナ素子の重み付けを（例えば、トランシーバユニット（ＴＸＲＵ）に接続されている）ベースバンドによって制御することができる。したがって、各サブバンドのビーム方向をシステムの帯域幅に渡って異なるように調整することが非常に容易である。また、ビーム方向を時々変更するのに、直交周波数分割多重（ＯＦＤＭ）シンボル間でいかなるスイッチング時間を必要としない。方向がカバレッジ全体をカバーするすべてのビームを同時に生成することができる。しかし、この構造は、ＴＸＲＵ（トランシーバ／ＲＦチェーン）とアンテナ素子との間に（ほぼ）１対１のマッピングを必要とし、アンテナ素子の数が増え、システム帯域幅が広がるにつれて、かなり複雑になる（熱の問題も存在する）。アナログビームフォーミングの場合、ビームはアナログ領域で生成される。すなわち、各アンテナ素子の重み付けを無線周波数（ＲＦ）回路内の振幅／位相シフタによって制御することが可能である。重み付けを純粋に回路によって制御するため、同じビーム方向をシステム帯域幅全体に適用する。また、ビーム方向を変更すべき場合は、スイッチング時間が必要である。アナログビームフォーミングによって同時に生成するビームの数は、ＴＸＲＵの数に依存する。所与のサイズのアレイの場合、より広いビームを生成するためＴＸＲＵを増やすことにより各ビームのアンテナ素子を減らすことがある。要するに、アナログビームフォーミングは動作においてより制限がかかるのだが、アナログビームフォーミングはデジタルビームフォーミングの複雑さ及び熱問題を回避することができる。ハイブリッドビームフォーミングは、ビームがアナログ及びデジタル領域の両方に由来することができるため、アナログビームフォーミングとデジタルビームフォーミングとの間の妥協点とみなすことができる。
【００２９】
３ＧＰＰ  Ｒ２−１６２７０９においては、進化型Ｎｏｄｅ  Ｂ（ｅＮＢ）は、複数の集中型又は分散型のいずれか一方である複数の送信／受信ポイント（ＴＲＰ）を有してよい。各ＴＲＰは、複数のビームを形成することができる。ビームの数及び時間／周波数領域における同時ビームの数は、ＴＲＰでのアンテナアレイ素子の数及びＲＦに依存する。
【００３０】
新しい無線（ＮＲ）の場合に可能性のあるモビリティタイプは次のように列挙することができる。ＴＲＰ内（Intra-TRP）モビリティ、ＴＲＰ間（Inter-TRP）モビリティ、及びＮＲ  ｅＮＢ間（Inter-NR  eNB）モビリティである。
【００３１】
３ＧＰＰ  Ｒ２−１６２７６２においては、ビームフォーミングに純粋に依存し、より高い周波数で動作するシステムの信頼性は挑戦的なものとなるかもしれない。これは、カバレッジが時間及び空間の両方の変動に対してより敏感となり得るためである。結果として、狭リンクの信号対干渉雑音比（ＳＩＮＲ）がロングタームエボリューション（ＬＴＥ）の場合よりもはるかに急速に低下する可能性がある。
【００３２】
数百の数の素子を備える、アクセスノードでのアンテナアレイを使用して、ノード当たり数十又は数百の候補ビームを備えたかなり規則的なグリッドオブビーム（grid-of-beam）カバレッジパターンを生成してよい。そのようなアレイからの個々のビームのカバレッジエリアは小さく、幅数十メートルのオーダーにまで下がることがある。結果として、現在のサービングビームエリアの外側のチャネル品質の低下が、ＬＴＥによって提供されるようなワイドエリアカバレッジの場合よりもより急速になる。
【００３３】
ビーム動作及びＴＲＰのサポートにより、セルは、ＵＥをスケジューリングするために複数の選択肢を有することができる。例えば、同じデータをＵＥに送信するＴＲＰからの複数のビームが存在してもよく、それにより、送信の信頼性を高めることができる。代替的には、複数のＴＲＰからの複数のビームが同じデータをＵＥに送信することができる。スループットを向上させるために、単一のＴＲＰがＵＥのために異なるビーム上で異なるデータを送信することも可能である。さらに、複数のＴＲＰが異なるビーム上で異なるデータをＵＥに送信することができる。
【００３４】
ＵＬ送信性能とＵＥ電力消費と干渉緩和との間のバランスを維持するために、ＵＥ送信電力を適切に制御する必要がある。電力をいくつかの開ループパラメータ、例えば、必要な受信電力、ＵＥと基地局との間のパスロスによって制御してよい。電力は、いくつかの閉ループパラメータ、例えば、基地局からＵＥに送信される電力制御コマンドに基づいて制御してもよい。追加の詳細は、以下に引用されるように、３ＧＰＰ  ＴＳ  ３６．２１３において開示されている。
（外１−１）
2020036357.tif 000003
（外１−２）
2020036357.tif 000004
（外１−３）
2020036357.tif 000005
（外１−４）
2020036357.tif 000006
（外１−５）
2020036357.tif 000007
（外１−６）
2020036357.tif 000008
（外１−７）
2020036357.tif 000009
図６は、３ＧＰＰ  ３６．２１３  ｖ１４．０．０の表５．１．１．１−１の再現である。
図７は、３ＧＰＰ  ３６．２１３  ｖ１４．０．０の表５．１．１．１−２の再現である。
図８は、３ＧＰＰ  ３６．２１３  ｖ１４．０．０の表５．１．１．１−３の再現である。
（外２−１）
2020036357.tif 000010
（外２−２）
2020036357.tif 000011
（外２−３）
2020036357.tif 000012
（外２−４）
2020036357.tif 000013
（外２−５）
2020036357.tif 000014
（外２−６）
2020036357.tif 000015
（外２−７）
2020036357.tif 000016
図９は、３ＧＰＰ  ３６．２１３  ｖ１４．０．０の表５．１．２．１−１の再現である。
図１０は、３ＧＰＰ  ３６．２１３  ｖ１４．０．０の表５．１．２．１−２の再現である。
（外３−１）
2020036357.tif 000017
（外３−２）
2020036357.tif 000018
【００３５】
電力ヘッドルーム報告がＵＥによって基地局に提供されて、基地局は、ＵＥにおいてどれだけの余剰送信電力が利用可能であるか、そして、どのようにＵＥにリソースを適切にスケジューリングするか、例えば、ＵＥに、より多くのリソースをスケジューリングすることが適切であるのか（例えば、ＵＥがより多くの電力ヘッドルームを有するとき）について認識ことができる。電力ヘッドルームは、現在のＵＥで計算された送信電力（送信が存在する場合）とＵＥ最大送信電力との間の差から計算されてよい。いくつかの状況、例えば、複数のキャリア動作においては、現在の送信が存在しない間に電力ヘッドルームを報告する、例えば、別のキャリアで、進行中の送信がないキャリアについての電力ヘッドルームを報告することも可能である。そのような場合、（いくつかの基準パラメータに基づいて計算された）基準電力とＵＥ最大電力との間の差は、仮想電力ヘッドルーム（ＰＨ）として知られる、電力ヘッドルームとして報告される。詳細を、以下のように、３ＧＰＰ  ＴＳ  ３６．２１３  ｖ１４．０．０からの以下の引用に見出すことができる。
（外４−１）
2020036357.tif 000019
（外４−２）
2020036357.tif 000020
（外４−３）
2020036357.tif 000021
【００３６】
電力ヘッドルーム導出のための上述のＵＥ最大電力は、ＵＥの能力によって決定され、また、基地局／セルの設定によって制御されてもよい。また、ＵＥのＲＦにおけるＰＡ（電力増幅器）の線形領域により、最大電力は送信のピーク対平均電力比（ＰＡＰＲ）により影響され得る。例えば、送信が高いＰＡＰＲを有する場合、電力バックオフが、平均電力が最大電力の周辺にあるときにピーク電力が線形領域を超える場合に実行され得る。電力バックオフの範囲は、ＵＥ  ＰＡのコストとＵＬ送信性能／カバレッジのバランスをとることができ、最大電力低減（ＭＰＲ）として知られている。異なる変調方式（例えば、ＱＰＳＫ／１６ＱＡＭ）又は異なるリソース割り当て（例えば、連続／非連続若しくは狭帯域／広帯域リソース割り当て）は異なるＰＡＰＲをもたらし、したがって異なるＭＰＲ（最大電力低減）を有してよい。追加の詳細は、以下に引用されるように、３ＧＰＰ  ＴＳ  ３６．１０１に開示されている。
（外５）
2020036357.tif 000022
図１１−１及び図１１−２は、３ＧＰＰ  ＴＳ  ３６．１０１  ｖ１４．１．０の表６．２．２−１の再現である。
（外６）
2020036357.tif 000023
図１２は、３ＧＰＰ  ＴＳ  ３６．１０１  ｖ１４．１．０の表６．２．３−１の再現である。
（外７）
2020036357.tif 000024
図１３−１及び図１３−２は、３ＧＰＰ  ＴＳ  ３６．１０１  ｖ１４．１．０の表６．２．４−１の再現である。
（外８）
2020036357.tif 000025
図１４は、３ＧＰＰ  ＴＳ  ３６．１０１  ｖ１４．１．０の表６．２．５−１は、図１３として再現されている。
図１５は、３ＧＰＰ  ＴＳ  ３６．１０１  ｖ１４．１．０の表６．２．５−１Ａは、図１４として再現されている。
（外９−１）
2020036357.tif 000026
（外９−２）
2020036357.tif 000027
図１６は、３ＧＰＰ  ＴＳ  ３６．１０１  ｖ１４．１．０の表６．２．５Ａ−１の再現である。
図１７は、３ＧＰＰ  ＴＳ  ３６．１０１  ｖ１４．１．０の表６．２．５Ａ−２の再現である。
（外１０）
2020036357.tif 000028
図１８は、３ＧＰＰ  ＴＳ  ３６．１０１  ｖ１４．１．０の表６．２．５Ｂ−１の再現である。
（外１１）
2020036357.tif 000029
【００３７】
また、電力ヘッドルームの過度の報告を避けるために、例えば、パスロス／電力ヘッドルーム値が大幅に変化するときや、以前の報告が現在よりも遠すぎるとき（例えば、最後の報告からの期限切れ）など、所定の条件の下で電力ヘッドルーム報告がトリガされる。追加の詳細は、以下に引用されるように、３ＧＰＰ  ＴＳ  ３６．３２１  ｖ１４．０．０に開示されている。
（外１２−１）
2020036357.tif 000030
（外１２−２）
2020036357.tif 000031
（外１２−３）
2020036357.tif 000032
（外１２−４）
2020036357.tif 000033
（外１２−５）
2020036357.tif 000034
図１９は、３ＧＰＰ  ＴＳ  ３６．３２１  ｖ１４．０．０の図６．１．３．６−１の再現である。
図２０は、３ＧＰＰ  ＴＳ  ３６．３２１  ｖ１４．０．０の表６．１．３．６−１の再現である。
（外１３）
2020036357.tif 000035
図２１は、３ＧＰＰ  ＴＳ  ３６．３２１  ｖ１４．０．０の図６．１．３．６ａ−２の再現である。
図２２は、３ＧＰＰ  ＴＳ  ３６．３２１  ｖ１４．０．０の図６．１．３．６ａ１−３の再現である。
図２３は、３ＧＰＰ  ＴＳ  ３６．３２１  ｖ１４．０．０の図６．１．３．６ａ２−４の再現である。
図２４は、３ＧＰＰ  ＴＳ  ３６．３２１  ｖ１４．０．０の図６．１．３．６ａ３−５の再現である。
図２５は、３ＧＰＰ  ＴＳ  ３６．３２１  ｖ１４．０．０の表６．１．３．６ａ−１の再現である。
【００３８】
論じたように、限定されるものではないが、パスロス変化又はタイマ満了などの、電力ヘッドルーム報告のためのいくつかのトリガが存在する。送信が狭ビームで実行されるときに送信に使用されるビームは、例えば、ブロッケージ（blockage）又はスケジューリングの柔軟性により、頻繁に変更されることがある。しかし、電力状況が変化していないにもかかわらずトリガが頻繁に発生する場合、基地局に以前に提供された情報に対してなんら追加の情報を提供することなく、不要な電力ヘッドルーム報告が生成され含まれる。一方、電力ヘッドルーム報告がトリガされないときに電力状態が変化する場合、最新の情報が提供されないので、基地局は正しいスケジューリング決定を行わない可能性がある。
【００３９】
例えば、スケジューリングされたビームがあるビームから別のビームに変更される場合、異なるビームから導出されるパスロスは異なる可能性がある。パスロス差がしきい値を超えることがあり、電力ヘッドルーム報告がトリガされる。しかし、各ビーム内のチャネル状態は類似していることがあり、報告は有用ではない可能性がある。一方で、パスロスを同じように保たれていても、ビームに対するチャネル状態は変化しているのに、報告がトリガされない可能性がある。これらの上記識別された分析は、ＵＥが送信のために２つ以上のビームを使用する場合にも適用することができる。
【００４０】
電力ヘッドルームトリガに影響し得る別の要因は、電力制御アルゴリズムである。電力制御をＵＥごとに適用することが可能である。例えば、ＵＥは、同様の電力レベルで異なるビームで送信し、１つの制御ループが維持される。代替的には、電力制御をＥビームベースごと、ＴＲＰビームベースごと、又はＴＲＰベースごとに適用することができる。例えば、各ＵＥビームについての電力制御は独立して制御され、複数の制御ループが維持される。さらに別の代替案では、所定の複数のＵＥビームについての電力制御を、例えば、グループとして同じやり方で制御し、別のいくつかのＵＥビームについての電力制御を、例えば、別のグループとして別のやり方で制御することができる。例えば、同じＴＲＰに関連付けられるＵＥビームは、同じグループに属する。別の例では、同じ基地局ビーム又は同じＴＲＰビームに関連付けられるＵＥビームは、同じグループに属する。要するに、電力ヘッドルーム報告のトリガは、上記の側面を考慮する必要がある。
【００４１】
一実施形態によれば、電力ヘッドルーム報告は、パスロスの変化がしきい値よりも大きいことに起因してトリガされることができ、パスロスは特定のＵＥビーム又はＵＥビームのセットに関連付けられている。ＵＥは、特定のＵＥビーム又はＵＥビームのセットが送信のためにスケジューリングされている場合、特定のＵＥビーム又はＵＥビームのセットのパスロスが変化したかどうかを決定してよい。ＵＥは、特定のＵＥビーム又はＵＥビームのセットが送信のためにスケジューリングされていない場合、特定のＵＥビーム又はＵＥビームのセットのパスロスが変化したかどうかを決定しなくてもよい。特定のＵＥビーム又はＵＥビームのセットについての現在のパスロスと、特定のＵＥビーム又はＵＥビームのセットについての以前のパスロスとの比較からパスロスの変化を導出することができる。パスロス変化についての比較を同じＵＥビーム又は同じＵＥビームのセットに対して行ってよい。
【００４２】
第２の実施形態によれば、電力ヘッドルーム報告は、パスロスの変化がしきい値よりも大きいことに起因して、トリガされ、パスロスは、あるＴＲＰビーム、あるＴＲＰビームのセット、又はＴＲＰに関連付けられている。ＵＥは、ＴＲＰビーム、ＴＲＰビームのセット、又はＴＲＰに関連付けられた送信がスケジューリングされている場合に、パスロスが変化したかどうかを決定することができる。ＵＥは、ＴＲＰビーム、ＴＲＰビームのセット、又はＴＲＰに関連付けられた送信がスケジューリングされていない場合に、パスロスが変化したかどうかを決定しなくてよい。ＴＲＰビーム、ＴＲＰビームのセット、又はＴＲＰに関連付けられた現在のパスロスと、ＴＲＰビーム、ＴＲＰビームのセット、又はＴＲＰに関連付けられた以前のパスロスとの比較からパスロスの変化を導出することができる。
【００４３】
第３の実施形態によれば、電力ヘッドルーム報告は、サービングＴＲＰの変更（若しくは追加若しくは活性化）、サービングＴＲＰビームの変更（若しくは追加若しくは活性化）、候補ＴＲＰビームの変更（若しくは追加若しくは活性化）、又はＵＥビームの活性化（若しくは追加）に起因して、トリガされることができる。
【００４４】
一例では、特定のＵＥビーム又はＵＥビームのセットのパスロスがしきい値を超えて変化した場合に、電力ヘッドルーム報告がトリガされる。いくつかのＵＥビーム又はいくつかのＵＥビームのセットの変更に起因してパスロスが変化する場合、電力ヘッドルーム報告はトリガされないことがある。
【００４５】
電力ヘッドルーム報告は、特定のＵＥビーム又はＵＥビームのセットについての電力ヘッドルームを含んでよい。代替的には、電力ヘッドルーム報告は、すべてのＵＥビームについての電力ヘッドルームを含むことができる。代替的には、電力ヘッドルーム報告は、すべてのＵＥビーム内のＵＥビームの任意の組合せについての電力ヘッドルームを含むことができる。一例では、ＵＥビームの組合せのサブセットを報告するように構成することができる。別の例では、ＵＥビームの組合せのサブセットを特定のＵＥビーム又はＵＥビームのセットにリンクすることができる。さらに別の例では、ＵＥビームの組合せのサブセットは、特定のＵＥビームではないＵＥビームを含み、特定のＵＥビームとは、パスロスがしきい値を超えて変化したビームである。さらに別の例では、ＵＥビームの組合せのサブセットは、ＵＥビームのサブセット内にはないＵＥビームを含む。
【００４６】
ＵＥビームのセットは、あるＴＲＰ又は同じＴＲＰに関連付けられたＵＥビームとしてよい。代替的には、ＵＥビームのセットは、あるＴＲＰビーム、同じＴＲＰビーム、ある基地局ビーム、又は同じ基地局に関連付けられたＵＥビームとしてよい。例示的な一実施形態では、ＵＥビームのセットは基地局によって設定される。
【００４７】
一例では、特定のＵＥビームについての電力ヘッドルームを特定のＵＥビーム上の送信のＵＥ電力状態から又はそれに基づいて導出する。より具体的には、特定のＵＥビームについての電力ヘッドルームは、特定のＵＥビームについてＵＥで計算された送信電力と、特定のＵＥビームの最大送信電力との差である。
【００４８】
別の例では、ＵＥビームのセットについての電力ヘッドルームをＵＥビームのセット上の送信のＵＥ電力状態から又はそれに基づいて導出する。より具体的には、ＵＥビームのセットについての電力ヘッドルームは、ＵＥビームのセットについてＵＥで計算された送信電力と、特定のＵＥビームのセットの最大送信電力との差である。
【００４９】
１つの例示的な実施形態では、電力制御はＵＥごとにすることができる。代替的には、電力制御はビームごとにすることができる。代替的には、電力制御は、ビームグループごとに又はビームセットごとにすることができる。代替的には、電力制御はビーム組合せごとにすることができる。
【００５０】
別の実施形態では、ＵＥは、第１の状態に基づいて、ＵＥビームのグループについての電力ヘッドルーム報告をトリガすることができる。例示的な一実施形態では、ＵＥビームのグループは、ＵＥによって生成され得るＵＥビームのサブセットとすることができる。例示的な一実施形態では、ＵＥビームの別のグループについての電力ヘッドルーム報告のトリガは、第２の状態に基づくことができる。例示的な一実施形態では、電力ヘッドルーム報告は、グループ内の各ＵＥビームの電力ヘッドルームを含むことができる。例示的な一実施形態では、電力ヘッドルーム報告は、グループ内のＵＥビームの任意の組合せの電力ヘッドルームを含むことができる。より具体的には、ＵＥビームの任意の組合せのサブセットを電力ヘッドルーム報告に含めるように構成することができる。例示的な一実施形態では、第１の状態は、グループ内のＵＥビームのパスロスがしきい値を超えて変化したこととすることができる。別の例示的な実施形態では、第１の状態は、グループ内のＵＥビームの組合せのパスロスがしきい値を超えて変化したこととすることができる。例示的な一実施形態では、パスロス変化がＵＥビーム又はＵＥビームのセットの変更に起因する場合、電力ヘッドルーム報告はトリガされない。例示的な一実施形態では、パスロス変化についての比較を同じＵＥビーム又は同じＵＥビームのセットに対してを行うことができる。別の例示的な実施形態では、第１の状態は、ＵＥビームのグループ内の少なくとも１つのＵＥビームが送信のためにスケジューリングされている場合にチェックされることができる。さらに別の例示的な実施形態では、第１の状態は、ＵＥビームのグループ内のＵＥビームのいずれもが送信のためにスケジューリングされていない場合にチェックされない。さらに別の実施形態では、第１の状態は、ＵＥビームのグループ内の特定のＵＥビーム又は特定のＵＥビームの組合せが送信のためにスケジューリングされている場合にチェックされることができる。別の実施形態では、第１の状態は、ＵＥビームのグループ内の特定のＵＥビーム又は特定のＵＥビームの組合せが送信のためにスケジューリングされていない場合、チェックされない。
【００５１】
例示的な一実施形態では、ＵＥビームのグループは、あるＴＲＰ又は同じＴＲＰに関連付けられたＵＥビームとすることができる。代替的には、ＵＥビームのグループは、あるＴＲＰビーム、同じＴＲＰビーム、ある基地局ビーム、又は同じ基地局ビームに関連付けられたＵＥビームとすることができる。さらに別の代替案では、ＵＥビームのグループは基地局によって設定され得る。
【００５２】
ビームごと及び／又はビームの組合せごとに電力ヘッドルームは、ＵＥから基地局に報告される。例えば、ＵＥは、各ビーム及び／又は各ビームの組合せについて電力ヘッドルームを計算する。一実施形態では、電力ヘッドルームを搬送するために使用されるビーム及び／又はビームの組合せの電力ヘッドルームは、実送信電力に基づいて計算される。例示的な一実施形態では、ビーム及び／又はビームの組合せの電力ヘッドルームは、同じ送信がビーム及び／又はビームの組合せで実行されると仮定して計算することができ、ここで、そのビーム及び／又はビーム組合せは、電力ヘッドルームを搬送（送信）するのに使用されないものである。別の例示的な実施形態では、ビーム及び／又はビームの組合せの電力ヘッドルームは、いくつかの所定のパラメータを仮定して計算することができ、ここで、そのビーム及び／又はビーム組合せは、電力ヘッドルームを搬送（送信）するのに使用されないものである。例えば、仮想電力ヘッドルームが報告される。
【００５３】
例示的な一実施形態では、基地局は、どのビームの電力ヘッドルームが報告される（べきである）かを指示することができる。別の例示的な実施形態では、基地局は、どのビームの組合せの電力ヘッドルームが報告される（べきである）かを指示することができる。さらに別の例示的な実施形態では、ＵＥは、どのビームの電力ヘッドルームが報告されるかを選択することができる。より具体的には、ＵＥは、最大電力ヘッドルームを有するビームを選択する。例示的な一実施形態では、ＵＥは、選択されたビームに関連付けられたインジケータとともに電力ヘッドルームを報告することができる。別の例示的な実施形態では、ＵＥは、どのビームの組合せの電力ヘッドルームが報告されるかを選択することができる。特定の一実施形態では、ＵＥは、最大電力ヘッドルームを有するビームの組合せを選択することができる。別の実施形態では、ＵＥは、選択されたビームの組合せに関連付けられたインジケータとともに電力ヘッドルームを報告することができる。
【００５４】
上記の実施形態のいずれにおいても、ＵＥビームのパスロスをＵＥビーム上で測定された下り（ＤＬ）信号から導出することができる。例示的な一実施形態では、ＤＬ信号を複数のＴＲＰビーム又は複数の基地局ビームで送信することができる。より具体的には、複数のＴＲＰビーム又は複数の基地局ビームをＵＥビームに関連付けることができる。
【００５５】
上記の実施形態のいずれにおいても、ＵＥビームのセットのパスロスは、ＵＥビームのセット上で測定されたＤＬ信号から導出することができる。例示的な一実施形態では、ＤＬ信号を、複数のＴＲＰビーム又は複数の基地局ビームで送信することができる。より具体的には、複数のＴＲＰビーム又は複数の基地局ビームはＵＥビームのセットに関連付けられ得る。
【００５６】
別の例示的な実施形態では、以下のＤＬ信号の任意の組合せをパスロス測定に使用することができる。
−  パスロス測定ための基準信号
−  ビーム管理のための基準信号
−  チャネル状態情報測定のための基準信号
−  モビリティ管理のための基準信号
−  復調のための基準信号
−  ビーム基準信号
−  制御チャネルのための復調基準信号（例えば、電力ヘッドルームを報告するための上りリンクグラント（uplink  grant））
−  データチャネルのための復調基準信号
−  チャネル状態情報基準信号
−  同期信号
図２６は、ＵＥの観点からの例示的な一実施形態による、フローチャート２６００である。ステップ２６０５において、ＵＥは、１つ以上のＵＥビームで上りリンク（ＵＬ（Uplink））送信を実行する。ステップ２６１０において、ＵＥは、特定のＵＥビーム又はＵＥビームのセットに対するしきい値よりも大きいパスロス（値）の変化に起因して、電力ヘッドルーム報告をトリガする。
【００５７】
図２７は、ＵＥの観点からの例示的な一実施形態によるフローチャート２７００である。ステップ２７０５において、ＵＥは、ＴＲＰ、ＴＲＰビーム、又はＴＲＰビームのセットに関連付けられたパスロス（値）に対するしきい値よりも大きいパスロス（値）の変化に起因して、電力ヘッドルーム報告をトリガする。
【００５８】
図２８は、ＵＥの観点からの例示的な一実施形態によるフローチャート２８００である。ステップ２８０５において、ＵＥは、送信のために複数のビームを使用する。ステップ２８１０において、ＵＥは、しきい値よりも大きいパスロス（値）の変化に起因して、電力ヘッドルーム報告をトリガする。ここで、パスロス（値）は特定のビーム又はビームのセットに関連付けられている。特定のビームは、特定のＵＥビーム又は特定のＴＲＰビームとすることができる。ビームのセットは、ＵＥビームのセット又はＴＲＰビームのセットとすることができる。
【００５９】
図２９は、ＵＥの観点からの例示的な別の実施形態によるフローチャート２９００である。ステップ２９０５において、ＵＥは、１つ以上のＵＥビームで上りリンク（ＵＬ）送信を実行する。ステップ２９１０において、ＵＥは、第１の状態に基づいて、１つ以上のＵＥビームのうちの第１のグループについての電力ヘッドルーム報告をトリガするかどうかを決定する。ステップ２９１５において、ＵＥは、第２の状態に基づいて、１つ以上のＵＥビームのうちの第２のグループについての電力ヘッドルーム報告をトリガするかどうかを決定する。
【００６０】
図３０は、ＵＥの観点からの例示的な別の実施形態によるフローチャート３０００である。ステップ３００５において、ＵＥは、第１の状態に基づいて、複数のＵＥビームのうちの第１のグループについての電力ヘッドルーム報告をトリガするかどうかを決定する。ステップ３０１０において、ＵＥは、第２の状態に基づいて、複数のＵＥビームのうちの第２のグループについての電力ヘッドルーム報告をトリガするかどうかを決定する。ステップ３０１５において、ＵＥは、第１の状態が満たされる場合、第１のグループについての電力ヘッドルーム報告をトリガする。ステップ３０２０において、ＵＥは、第２の状態が満たされる場合、第２のグループについての電力ヘッドルーム報告をトリガする。
【００６１】
別の実施形態では、ＵＥは、１つ以上のＵＥビームで上りリンク送信を実行することができる。
【００６２】
別の実施形態では、ＵＥは、特定のビーム又はビームのセットに関連付けられた送信がスケジューリングされている場合、パスロス（値）が変化したかどうかを決定することができる。代替的には、ＵＥは、特定のＵＥビーム又はＵＥビームのセットが送信のためにスケジューリングされている場合、特定のＵＥビーム又はＵＥビームのセットのパスロス（値）が変化したかどうかを決定することができる。代替的には、ＵＥは、ＴＲＰビーム、ＴＲＰビームのセット、又はＴＲＰに関連付けられた送信がスケジューリングされている場合、パスロス（値）が変化したかどうかを決定することができる。
【００６３】
別の実施形態では、ＵＥは、特定のビーム又はビームのセットが送信のためにスケジューリングされていない場合、特定のＵＥビーム又はＵＥビームのセットのパスロス（値）が変化したかどうかを決定しない。代替的には、ＵＥは、ＴＲＰビーム、ＴＲＰビームのセット、又はＴＲＰに関連付けられた送信がスケジューリングされていない場合、パスロス（値）が変化したかどうかを決定しない。
【００６４】
本明細書で開示される方法の別の実施形態では、パスロス（値）の変化は、特定のＵＥビーム又はＵＥビームのセットについての現在のパスロス（値）と、特定のＵＥビーム又はＵＥビームのセットについての以前のパスロス（値）との比較から導出することができる。代替的には、特定のビーム又はビームのセットに関連付けられた現在のパスロス（値）と、特定のビーム又はビームのセットに関連付けられた以前のパスロス（値）との比較からパスロス（値）の変化を導出することができる。代替的には、ＴＲＰビーム、ＴＲＰビームのセット、又はＴＲＰに関連付けられた現在のパスロス（値）と、ＴＲＰビーム、ＴＲＰビームのセット、又はＴＲＰに関連付けられた以前のパスロス（値）との比較からパスロス（値）の変化を導出することができる。
【００６５】
本明細書で開示される方法の別の実施形態では、パスロス（値）の変化は、同じＵＥビーム又は同じＵＥビームのセットの比較から導出することができる。
【００６６】
本明細書で開示される方法の別の実施形態では、パスロス（値）の変化がＵＥビーム又はＵＥビームのセットの変更に起因する場合、電力ヘッドルーム報告はトリガされない。代替的には、パスロス（値）の変化がＵＥビーム又はＵＥビームのセットの変更に起因する場合、電力ヘッドルーム報告はトリガされる。
【００６７】
本明細書で開示される方法の別の実施形態では、ＵＥは、異なるビーム間、又は異なるビームのセット間の比較から導出されるパスロス（値）の変化に基づいて、電力ヘッドルーム報告をトリガしない。
【００６８】
ＵＥの別の方法では、電力ヘッドルーム報告は、サービングＴＲＰの変更（若しくは追加若しくは活性化）、サービングＴＲＰビームの変更（若しくは追加若しくは活性化）、候補ＴＲＰビームの変更（若しくは追加若しくは活性化）、又はＵＥビームの活性化（若しくは追加）に起因して、トリガされる。
【００６９】
本明細書で開示される方法の別の実施形態では、電力ヘッドルーム報告は、特定のＵＥビーム又はＵＥビームのセットについての電力ヘッドルームを含むことができる。
【００７０】
本明細書で開示される方法の別の実施形態では、電力ヘッドルーム報告は、特定のＵＥビーム又はＵＥビームのセットについての電力ヘッドルームを含むことができる。
【００７１】
本明細書で開示される方法の別の実施形態では、電力ヘッドルーム報告は、すべてのＵＥビームについての電力ヘッドルームを含むことができる。
【００７２】
本明細書で開示される方法の別の実施形態では、電力ヘッドルーム報告は、すべてのＵＥビーム内のＵＥビームの任意の組合せについての電力ヘッドルームを含むことができる。別の実施形態では、ＵＥビームの組合せのサブセットを報告するように構成することができる。
【００７３】
本明細書で開示される方法の別の実施形態では、ビームのセットはあるＴＲＰ又は同じＴＲＰに関連付けられ得る。代替的には、ビームのセットはあるＴＲＰビーム、同じＴＲＰビーム、ある基地局ビーム、又は同じ基地局ビームに関連付けられ得る。代替的には、ビームのセットはＴＲＰビームのセット又は同じＴＲＰビームのセットに関連付けられ得る。
【００７４】
本明細書で開示される方法の別の実施形態では、ＵＥビームのセットは、あるＴＲＰ又は同じＴＲＰに関連付けられたＵＥビームとすることができる。代替的には、ＵＥビームのセットは、あるＴＲＰビーム、同じＴＲＰビーム、ある基地局ビーム、又は同じ基地局ビームに関連付けられたＵＥビームとすることができる。代替的には、ＵＥビームのセットは、あるＴＲＰビームのセット又は同じＴＲＰビームのセットに関連付けられたＵＥビームとすることができる。
【００７５】
本明細書で開示される方法の別の実施形態では、ＵＥビームのセットは基地局によって設定され得る。
【００７６】
本明細書で開示される方法の別の実施形態では、特定のＵＥビームについての送信ヘッドルームを、特定のＵＥビーム上の送信のＵＥ電力状態（UE  power  status）に基づいて導出することができる。さらに、特定のＵＥビームについての電力ヘッドルームは、特定のＵＥビームについてのＵＥで計算された送信電力と、特定のＵＥビームの最大送信電力との差とすることができる。
【００７７】
本明細書で開示される方法の別の実施形態では、ＵＥビームのセットについての電力ヘッドルームを、ＵＥビームのセット上の送信のＵＥ電力状態から又はそれに基づいて導出することができる。追加的に、ＵＥビームのセットについての電力ヘッドルームは、ＵＥビームのセットについてＵＥで計算された送信電力と、ＵＥビームのセットの最大送信電力との差とすることができる。
【００７８】
本明細書で開示される方法の別の実施形態では、電力制御は、ＵＥごと、ビームごと、ビームグループごと、ビームセットごと、又はビーム組合せごととすることができる。
【００７９】
本明細書で開示される方法の別の実施形態では、ＵＥビームの第１のグループは、ＵＥによって生成され得るＵＥビームのサブセットとすることができる。
【００８０】
本明細書で開示される方法の別の実施形態では、電力ヘッドルーム報告は、第１又は第２のグループ内の各ＵＥビームの電力ヘッドルームを含むことができる。代替的及び／又は追加的に、電力ヘッドルーム報告は、第１又は第２のグループ内のＵＥビームの任意の組合せの電力ヘッドルームを含むことができる。追加的に、ＵＥビームの任意の組合せのサブセットが電力ヘッドルーム報告に含まれるように構成することができる。
【００８１】
本明細書で開示される方法の別の実施形態では、第１の状態は、第１のグループ内のＵＥビーム又は第１のグループ内のＵＥビームの組合せのパスロス（値）がしきい値を超えて変化したこととすることができる。
【００８２】
本明細書で開示される方法の別の実施形態では、第２の状態は、第２のグループ内のＵＥビーム又は第２のグループ内のＵＥビームの組合せのパスロス（値）がしきい値を超えて変化したこととすることができる。
【００８３】
本明細書で開示される方法の別の実施形態では、第１の状態は、第１のグループ内の少なくとも１つのＵＥビームが送信のためにスケジューリングされている場合にチェックされ得る。
【００８４】
本明細書で開示される方法の別の実施形態では、第１の状態は、第１のグループ内のいずれのＵＥビームも送信のためにスケジューリングされていない場合にチェックされない。
【００８５】
本明細書で開示される方法の別の実施形態では、第１の状態は、第１のグループ内の特定のＵＥビーム又は特定のＵＥビームの組合せが送信のためにスケジューリングされている場合にチェックされ得る。
【００８６】
本明細書で開示される方法の別の実施形態では、第１の状態は、第１のグループ内の特定のＵＥビーム又は特定のＵＥビームの組合せが送信のためにスケジューリングされていない場合にチェックされない。
【００８７】
本明細書で開示される方法の別の実施形態では、第１のグループは、あるＴＲＰ、同じＴＲＰ、あるＴＲＰビーム、同じＴＲＰビーム、ある基地局ビーム、又は同じ基地局ビームに関連付けられたＵＥビームとすることができる。
【００８８】
本明細書で開示される方法の別の実施形態では、第１のグループ（及び第２のグループ）は、基地局によって構成され得る。
【００８９】
図３及び図４に戻って参照すると、一実施形態では、装置３００は、メモリ３１０に記憶されたプログラムコード３１２を含む。ＣＰＵ３０８はプログラムコード３１２を実行することができ、ＵＥが（ｉ）１つ以上のＵＥビームでＵＬ送信を行うことと、（ｉｉ）パスロス（値）の変化が特定のＵＥビーム又はＵＥビームのセットに対するしきい値よりも大きいことに起因して、電力ヘッドルーム報告をトリガすることとを可能にする。
【００９０】
別の実施形態では、ＣＰＵ３０８はプログラムコード３１２を実行することができ、ＵＥが、あるＴＲＰビーム、あるＴＲＰビームのセット、又はＴＲＰに関連付けられたパスロス（値）の変化がしきい値よりも大きいことに起因して、電力ヘッドルーム報告をトリガすることを可能にする。
【００９１】
別の実施形態では、ＣＰＵ３０８はプログラムコード３１２を実行することができ、ＵＥが、（ｉ）送信のために複数のビームを使用することと、（ｉｉ）パスロス（値）の変化がしきい値よりも大きいことに起因して、電力ヘッドルーム報告をトリガすることとを可能にし、ここで、パスロス（値）は特定のビーム又はビームのセットに関連付けられている。
【００９２】
別の実施形態では、ＣＰＵ３０８はプログラムコード３１２を実行することができ、ＵＥが、（ｉ）１つ以上のＵＥビームで上りリンク（ＵＬ）送信を実行することと、（ｉｉ）第１の状態に基づいて、１つ以上のＵＥビームのうちの第１のグループについての電力ヘッドルーム報告をトリガするかどうかを決定することと、（ｉｉｉ）第２の状態に基づいて、１つ以上のＵＥビームのうちの第２のグループについての電力ヘッドルーム報告をトリガするかどうかを決定することとを可能にする。
【００９３】
別の実施形態では、ＣＰＵ３０８はプログラムコード３１２を実行することができ、ＵＥが、（ｉ）第１の状態に基づいて、複数のＵＥビームのうちの第１のグループについての電力ヘッドルーム報告をトリガするかどうかを決定することと、（ｉｉ）第２の状態に基づいて、複数のＵＥビームのうちの第２のグループについての電力ヘッドルーム報告をトリガするかどうかを決定することと、（ｉｉｉ）第１の状態が満たされる場合に、第１のグループについての電力ヘッドルーム報告をトリガすることと、（ｉｖ）第２の状態が満たされる場合に、第２のグループについての電力ヘッドルーム報告をトリガすること、とを可能にする。
【００９４】
さらに、ＣＰＵ３０８はプログラムコード３１２を実行することができ、上述のアクション及びステップ又は本明細書で説明した別の方法のすべてを実行することができる。
【００９５】
本明細書で開示された様々な実施形態に基づいて、ＵＥ側での実電力状態が適切なオーバーヘッドで報告される。
【００９６】
以上、本開示の種々の態様を説明した。当然のことながら、本明細書の教示内容を多種多様な形態で具現化してよく、本明細書で開示されている如何なる特定の構造、機能、又は両者も代表的なものに過ぎない。本明細書の教示内容に基づいて、当業者には当然のことながら、本明細書で開示される態様は、他の如何なる態様からも独立に実装されてよく、これら態様のうちの２つ以上が種々組み合わされてよい。例えば、本明細書に記載された態様のうちの任意の数の態様を用いて、装置が実装されてよく、方法が実現されてよい。追加的に、本明細書に記載された態様のうちの１つ以上の追加又は代替で、他の構造、機能、又は構造と機能を用いて、このような装置が実装されるようになっていてもよいし、このような方法が実現されるようになっていてもよい。上記概念の一部の一例として、いくつかの態様においては、パルス繰り返し周波数に基づいて、同時チャネルが確立されてよい。いくつかの態様においては、パルス位置又はオフセットに基づいて、同時チャネルが確立されてよい。いくつかの態様においては、時間ホッピングシーケンスに基づいて、同時チャネルが確立されてよい。
【００９７】
当業者であれば、多様な異なるテクノロジ及び技術のいずれかを使用して、情報及び信号を表わしてよいを理解するであろう。例えば、上記説明全体で言及されることがあるデータ、命令、コマンド、情報、信号、ビット、シンボル、及びチップは、電圧、電流、電磁波、磁場若しくは粒子、光場若しくは粒子、又はこれらの任意の組合せによって表わしてよい。
【００９８】
さらに、当業者には当然のことながら、本明細書で開示された態様に関連して説明した種々の例示的な論理ブロック、モジュール、プロセッサ、手段、回路、及びアルゴリズムステップは、電子的ハードウェア（例えば、ソースコーディング又はその他何らかの技術を用いて設計することがあるデジタル実装、アナログ実装、又はこれら２つの組合せ）、命令を含む種々の形態のプログラム若しくは設計コード（本明細書においては便宜上、「ソフトウェア」又は「ソフトウェアモジュール」と称されることがある）、又は両者の組合せとして実装されてよい。このハードウェア及びソフトウェアの互換性を明確に示すため、種々の例示的な構成要素、ブロック、モジュール、回路、及びステップを概略的にそれぞれの機能の観点から上述した。そのような機能がハードウェアとして実装されるか、ソフトウェアとして実装されるかは、特定用途及びシステム全体に課される設計上の制約によって決まる。当業者であれば、特定各用途に対して、説明した機能を様々なやり方で実装してもよいが、そのような実装の決定は、本開示の範囲からの逸脱の原因として解釈されるべきではない。
【００９９】
追加的に、本明細書で開示される態様に関連して説明した種々の例示的な論理ブロック、モジュール、及び回路は、集積回路（「ＩＣ」）、アクセス端末、又はアクセスポイント内で実装される、あるいはこれらによって実行されてよい。ＩＣとしては、汎用プロセッサ、デジタルシグナルプロセッサ（ＤＳＰ）、特定用途向け集積回路（ＡＳＩＣ）、フィールドプログラマブルゲートアレイ（ＦＰＧＡ）、その他プログラマブル論理デバイス、ディスクリートゲート若しくはトランジスタロジック、ディスクリートハードウェアコンポーネント、電気部品、光学部品、機械部品、又は本明細書で説明した機能を実行するように設計されたこれらの任意の組合せを含み、ＩＣ内、ＩＣ外、又はその両方に存在するコード又は命令を実行してよい。汎用プロセッサは、マイクロプロセッサとしてよいが、代替として、プロセッサは、従来の任意のプロセッサ、コントローラ、マイクロコントローラ、又は状態機械としてよい。また、プロセッサは、ＤＳＰとマイクロプロセッサとの組合せ、複数のマイクロプロセッサ、ＤＳＰコアと協働する１つ以上のマイクロプロセッサ、又はその他任意のこのような構成である、コンピュータデバイスの組合せとして実装されてよい。
【０１００】
任意の開示プロセスにおけるステップの如何なる特定の順序又は階層は、実例的な手法の一例であることが了解される。設計の選好に基づいて、プロセスにおけるステップの特定の順序又は階層を、本開示の範囲内に留まりつつ、再構成してよいことが了解される。添付の方法の請求項は、種々のステップの要素を実例的な順序で示しており、提示の特定順序又は階層に限定されることを意図していない。
【０１０１】
本明細書で開示される態様に関連して記載された方法又はアルゴリズムのステップを、ハードウェアにおいて直接具現化してよく、プロセッサにより実行されるソフトウェアモジュールにおいて具現化してよく、これら２つの組合せにおいて具現化してよい。（例えば、実行可能な命令及び関連するデータを含む）ソフトウェアモジュール及び他のデータは、ＲＡＭメモリ、フラッシュメモリ、ＲＯＭメモリ、ＥＰＲＯＭメモリ、ＥＥＰＲＯＭメモリ、レジスタ、ハードディスク、リムバーブルディスク、ＣＤ−ＲＯＭ等のデータメモリ、又は当技術分野において知られているその他任意の形態のコンピュータ可読記憶媒体に存在してよい。実例的な記憶媒体がコンピュータ／プロセッサ（本明細書においては便宜上、「プロセッサ」と称されることがある）等の機械に結合されてよい、このようなプロセッサは、記憶媒体からの情報（例えば、コード）の読み出し及び記憶媒体への情報の書き込みが可能である。実例的な記憶媒体は、プロセッサと一体化されてよい。プロセッサ及び記憶媒体は、ＡＳＩＣに存在してよい。ＡＳＩＣは、ユーザ機器に存在していてもよい。代替として、プロセッサ及び記憶媒体は、ディスクリートコンポーネントとしてユーザ機器に存在してよい。さらに、いくつかの態様においては、任意の適当なコンピュータプログラム製品が、本開示の態様のうちの１つ以上に関連するコードを含むコンピュータ可読媒体を含んでもよい。いくつかの態様において、コンピュータプログラム製品は、パッケージング材料を含んでよい。
以上、種々の態様に関連して本発明を説明したが、本発明は、さらに改良可能であることが了解される。本願は、概して本発明の原理に従うとともに、本発明が関係する技術分野における既知で慣習的な実施となるような本開示からの逸脱を含む本発明の任意の変形、使用、又は適応を網羅することを意図している。
【図１】
2020036357.tif 000036
【図２】
2020036357.tif 000037
【図３】
2020036357.tif 000038
【図４】
2020036357.tif 000039
【図５Ａ】
2020036357.tif 000040
【図５Ｂ】
2020036357.tif 000041
【図５Ｃ】
2020036357.tif 000042
【図５Ｄ】
2020036357.tif 000043
【図６】
2020036357.tif 000044
【図７】
2020036357.tif 000045
【図８】
2020036357.tif 000046
【図９】
2020036357.tif 000047
【図１０】
2020036357.tif 000048
【図１１−１】
2020036357.tif 000049
【図１１−２】
2020036357.tif 000050
【図１２】
2020036357.tif 000051
【図１３−１】
2020036357.tif 000052
【図１３−２】
2020036357.tif 000053
【図１４】
2020036357.tif 000054
【図１５】
2020036357.tif 000055
【図１６】
2020036357.tif 000056
【図１７】
2020036357.tif 000057
【図１８】
2020036357.tif 000058
【図１９】
2020036357.tif 000059
【図２０】
2020036357.tif 000060
【図２１】
2020036357.tif 000061
【図２２】
2020036357.tif 000062
【図２３】
2020036357.tif 000063
【図２４】
2020036357.tif 000064
【図２５】
2020036357.tif 000065
【図２６】
2020036357.tif 000066
【図２７】
2020036357.tif 000067
【図２８】
2020036357.tif 000068
【図２９】
2020036357.tif 000069
【図３０】
2020036357.tif 000070